(57)【要約】      （修正有）【課題】端末にコネクタを装着したケーブル同士の接続部又は分岐部を機械的に保護し、ケーブルに引張力が加わった場合にもその張力がコネクタの接続部に集中して接続不良が発生することを防止できるコネクタ付ケーブル用クロージャを提供する。【解決手段】端末にコネクタ８を有するケーブル４を電気的に接続する箇所を収容するためのクロージャ筐体２を有するコネクタ付ケーブル用クロージャ１であって、前記クロージャ筐体の内部に、前記ケーブルの外周を固定するためのケーブル固定具７と、前記コネクタと電気的に接続するためのレセプタクル９とを有する支持フレーム６を備える。【選択図】図１
2011125086.tif 000002
【特許請求の範囲】
【請求項１】
端末にコネクタを有するケーブルを電気的に接続する箇所を収容するためのクロージャ筐体を有するコネクタ付ケーブル用クロージャであって、
前記クロージャ筐体の内部に、前記ケーブルの外周を固定するためのケーブル固定具と、前記コネクタと電気的に接続するためのレセプタクルとを有する支持フレームを備えたことを特徴とするコネクタ付ケーブル用クロージャ。
【請求項２】
端末にコネクタを有する複数のケーブルを電気的に接続する箇所を収容するためのクロージャ筐体を有するコネクタ付ケーブル用クロージャであって、
前記クロージャ筐体の内部に、前記ケーブルの外周を固定するためのケーブル固定具と、前記コネクタと電気的に接続するための複数のレセプタクルとを有する支持フレームを備え、
前記ケーブルのうちの一方と接続する前記レセプタクルと、前記ケーブルのうちの他方と接続する前記レセプタクルとが、配線により電気的に接続されていることを特徴とするコネクタ付ケーブル用クロージャ。
【請求項３】
請求項１又は２に記載のコネクタ付ケーブル用クロージャにおいて、
前記ケーブルを外部から挿通させるためのケーブル挿通孔を有する端面板を備え、該端面板は、前記ケーブル挿通孔を通過するように形成された分割面を備えたことを特徴とするコネクタ付ケーブル用クロージャ。
【請求項４】
請求項１乃至３に記載のコネクタ付ケーブル用クロージャにおいて、
前記ケーブル固定具はリング状部材を半割した構造であることを特徴とするコネクタ付ケーブル用クロージャ。
【発明の詳細な説明】
【技術分野】
【０００１】
本発明は、ケーブルの端末にコネクタを備えた各種ケーブル同士を接続又は分岐する部分を保護するためのコネクタ付ケーブル用クロージャに関するものである。
【背景技術】
【０００２】
屋外あるいはとう道で電気ケーブル同士を接続又は分岐する場合には、電気ケーブルの端部を段剥ぎして、その端部から露出した中心導体同士を当接するように直線的に接続し、あるいは２本の導線の束に分岐して接続して接続部を作成し、この接続部の外側に誘電体層などを介在させて保護スリーブからなるクロージャによって覆うことが古くから実用化されている（特許文献１）。そして、クロージャは、チューブ状の導電性又は絶縁性の熱収縮チューブのような材質から構成されている。
【０００３】
一方で、複数の信号用絶縁電線を寄せ合わせた多芯ケーブル同士の各電線の接続対応関係を明確にして一括に接続又は分岐をするために、各多芯ケーブルの終端部に予めコネクタを配し、各多芯ケーブルの接続をコネクタを介して一括して行う技術の開発が進められている。
【先行技術文献】
【特許文献】
【０００４】
【特許文献１】特開平５−１５０４２号公報
【発明の概要】
【発明が解決しようとする課題】
【０００５】
このようなコネクタ付ケーブルの接続構造に対し、従来の熱収縮チューブタイプのクロージャを被覆した構造では、外部からの機械的作用が生じた場合にコネクタの接続構造を保護する点において、未だ十分なものとはいえない。また、仮にこのような多芯ケーブルの長手方向に引張力が生じた場合に、その引張力がコネクタの接続部分に集中してしまい、接続不良を生じるおそれがある。
【０００６】
そこで、本発明の目的は、上記課題を解決し、端末にコネクタを装着したケーブル同士の接続部又は分岐部を機械的に保護し、ケーブルに引張力が加わった場合にもその張力がコネクタの接続部に集中して接続不良が発生することを防止できるコネクタ付ケーブル用クロージャを提供することにある。
【課題を解決するための手段】
【０００７】
本発明の請求項１に係る発明は、端末にコネクタを有するケーブルを電気的に接続する箇所を収容するためのクロージャ筐体を有するコネクタ付ケーブル用クロージャであって、前記クロージャ筐体の内部に、前記ケーブルの外周を固定するためのケーブル固定具と、前記コネクタと電気的に接続するためのレセプタクルとを有する支持フレームを備えたことを特徴とするコネクタ付ケーブル用クロージャである。
【０００８】
本発明の請求項２に係る発明は、端末にコネクタを有する複数のケーブルを電気的に接続する箇所を収容するためのクロージャ筐体を有するコネクタ付ケーブル用クロージャであって、前記クロージャ筐体の内部に、前記ケーブルの外周を固定するためのケーブル固定具と、前記コネクタと電気的に接続するための複数のレセプタクルとを有する支持フレームを備え、前記ケーブルのうちの一方と接続する前記レセプタクルと、前記ケーブルのうちの他方と接続する前記レセプタクルとが、配線により電気的に接続されていることを特徴とするコネクタ付ケーブル用クロージャである。
【０００９】
本発明の請求項３に係る発明は、請求項１又は２に記載のコネクタ付ケーブル用クロージャにおいて、前記ケーブルを外部から挿通させるためのケーブル挿通孔を有する端面板を備え、該端面板は、前記ケーブル挿通孔を通過するように形成された分割面を備えたことを特徴とするコネクタ付ケーブル用クロージャである。
【００１０】
本発明の請求項４に係る発明は、請求項１乃至３に記載のコネクタ付ケーブル用クロージャにおいて、前記ケーブル固定具はリング状部材を半割した構造であることを特徴とするコネクタ付ケーブル用クロージャである。
【発明の効果】
【００１１】
本発明によれば、端末にコネクタを装着したケーブル同士の接続部又は分岐部を機械的に保護し、ケーブルに引張力が加わった場合にもその張力がコネクタの接続部に集中して接続不良が発生することを防止できる。
【図面の簡単な説明】
【００１２】
【図１】（ａ）は、本発明の実施形態にかかるコネクタ付ケーブル用クロージャの内部を示す斜視図であり、（ｂ）は、本発明の実施形態にかかるコネクタ付ケーブル用クロージャの内部にケーブルを配置した状態の内部を示す斜視図であり、（ｃ）は本発明の実施形態にかかるコネクタ付ケーブル用クロージャの斜視図である。
【図２】（ａ）は、本発明の他の実施形態にかかるコネクタ付ケーブル用クロージャの内部を示す斜視図であり、（ｂ）は本発明の他の実施形態にかかるコネクタ付ケーブル用クロージャの斜視図である。
【発明を実施するための形態】
【００１３】
図１（ａ）は、本発明の実施形態にかかるコネクタ付ケーブル用クロージャの内部を示す斜視図であり、同図（ｂ）は、本発明の実施形態にかかるコネクタ付ケーブル用クロージャの内部にケーブルを配置した状態の内部を示す斜視図であり、同図（ｃ）は本発明の実施形態にかかるコネクタ付ケーブル用クロージャの斜視図である。
【００１４】
図２（ａ）は、本発明の他の実施形態にかかるコネクタ付ケーブル用クロージャの内部を示す斜視図であり、同図（ｂ）は本発明の他の実施形態にかかるコネクタ付ケーブル用クロージャの斜視図である。
【００１５】
以下、コネクタ付ケーブル用クロージャ１を構成する各部位及び本発明に適用するケーブルについて説明する。
【００１６】
（クロージャ筐体２について）
クロージャ筐体２は、図１（ａ）に示すように、第１部材２１と第２部材２２とを備えている。第１部材２１と第２部材２２は、夫々、例えば、ＦＲＰ製（例えば、ガラス繊維で強化したＰＥＴ、ＡＢＳなどの樹脂）の材質であり、円筒部材を長手方向に沿って２分割した形状になっており、互いに長手方向を揃え且つ円筒状を形成するように開口端を重ねて配置されている。そして図示しない蝶番部が第１部材２１と第２部材２２の端部に長手方向に間隔をもって複数箇所に形成されている。これにより、クロージャ筐体２は、図示しない蝶番部を介して開閉自在に形成されており、閉じた状態では円筒状になる。
【００１７】
もっとも、クロージャ筐体２の形は特に限定されるものではなく、略円筒状であっても、直方体形状などの矩形状であってもよい。特に実施例２に記載の分岐ケーブルの数が多い場合には直方体形状などの矩形状である方が好ましい。
【００１８】
また、クロージャ筐体２は、端末にコネクタを有する複数のケーブル同士を接続する箇所を収容するものであるため、端末にコネクタを装着したケーブル同士の接続部又は分岐部を機械的に保護することができる。
【００１９】
（端面板３について）
クロージャ筐体２が、図示しない蝶番部を介して第１部材２１と第２部材２２とを閉じた状態では円筒状をなした際に、端面板３は、この円筒状の両方の開口を閉じるように配置される。この端面板３は、例えばPET、ABS樹脂製の材質からできている。この端面板３には、外部からケーブル４が挿通可能になるようにケーブル挿通孔５が１つ以上設けられている。例えば、ケーブル４の使用本数に適合させて、図１（ｂ）および（ｃ）においては１つのケーブル挿通孔５が、図１（ａ），図２（ａ）および（ｂ）においては手前側の端面板３にケーブル挿通孔５が形成されている。そして端面板３には、ケーブル挿通孔５を中心に端面板３が分割できるように分割面が形成されている。この分割面はケーブル挿通孔５の中心を通過するように形成されており、互いに当接する端面部材３ａ同士の分割面にはフランジ部を備え、互いに対向配置したフランジ部の所定の位置に固定用ボルトを締めることにより円環状の端面板３を構成している。このため、予め端末にコネクタを備えたケーブル４をケーブル挿通孔５に配置できる構造としている。また、ケーブル挿通孔５とケーブル４との間には、防水パッキンなどを介すればより防水効果が向上する。
【００２０】
（支持フレーム６について）
クロージャ筐体２は、その内部で且つ、第１部材２１又は第２部材２２のいずれかに固定された支持フレーム６を備えている。支持フレーム６は、例えばアルミニウム製の材質からできている。支持フレーム６には、ケーブル挿通孔５を挿通されたケーブル４を外側から固定するためのケーブル固定具７が形成されている。ケーブル固定具７は、例えばアルミニウム製の材質からできている。ケーブル固定具７はリング状部材を半割した構造からなっている。ケーブル４を挿通した後にこれら半割部材を向かい合わせて固定用ボルトで固定する構造になっている。通常、コネクタ付ケーブルはコネクタの部分の直径がケーブルの外径より大きいため、装着時はケーブル固定具７を分割する必要があるためである。
【００２１】
このケーブル固定具７は、ケーブル４を装着した後においては、リング形状となるものであり、そのリング形状のケーブル固定具７は、その外側から円周方向外方から押し込みボルトを中心に向けて押し込み可能な構造となっている。このため、ケーブル固定具７にケーブル４を通した後、リング形状となったケーブル固定具７の外側から３本ないし４本の押し込みボルトをケーブル４の外周に押し当て、ケーブル４を支持フレーム側に固定することができる。
【００２２】
また、支持フレーム６には、ケーブル４の端末に配置されたコネクタ８と電気的に接続させるための片側レセプタクル１１を設置している。片側レセプタクル１１はその適用するケーブルとの関係で、支持フレーム６の上に複数配置するものであってもよい。
【００２３】
（レセプタクルについて）
レセプタクルはコネクタと対応した開口部を持ち、コネクタと嵌合結合可能な部品であり、後記した本発明の実施例では、コネクタ側がインサートピンを有するので、レセプタクル側にはインサートピン外径より僅かに小径の嵌合穴が形成されているがこれに限定するものではなく、コネクタとレセプタクルの嵌合のオス・メス関係は逆の構造であってもかまわない。嵌合穴には金属板を丸めてスリーブ形状にした端子が内蔵されている。スリーブ端子は背割り構造になっており、インサートピンが挿入されると背割り部分が広がり、スリーブの弾性変形によりピンを周囲から締め付ける力が作用して、電気的な結合が生じる。
【００２４】
片側レセプタクル１１は、コネクタとの結合は一面だけであり、もう一方の面には各嵌合穴のスリーブ端子と電線が例えばはんだ接合されている。
【００２５】
両側レセプタクル９は両面に嵌合穴が設置された構造であり、内部でスリーブ端子間で然るべき結線が施されている。
【００２６】
（コネクタ８について）
コネクタ８は丸型断面形であり、先端の最も太い部分で外径９０ｍｍである。本体部分の材質はアルミニウム合金である。端面部には、（説明図では省略してあるが）直径３ｍｍ、長さ１５ｍｍの接続用インサートピンが８４本固定されている。コネクタ８の根元部分にはケーブル被覆をクランプ固定し、さらに隙間部分にゴム系のパッキンを挟んで、コネクタ８の内部への水の侵入を防止している。コネクタ８の内部では、インサートピンの延長部分とケーブル各芯線がはんだ固定されている。
【００２７】
図１および図２では図示していないが、防水性能をさらに向上させる手段として、コネクタ８とレセプタクル９、１１の結合部や、コネクタ８の根元部分に熱収縮型のチューブを装着して、防水機能を更に高めることもできる。なぜならば、コネクタ８自身は防水機能を有する場合でも防水パッキン等の劣化により侵水する可能性があるのがコネクタ８の２箇所だからである。
【００２８】
（ケーブル４について）
本発明にいうコネクタ付ケーブルは、通信ケーブル、複合ケーブル、電力ケーブルのいずれであってもよい。このとき、使用されるケーブルはともにその規格は問わず、あらゆる絶縁ケーブルに適用可能である。
【００２９】
また、内部に配置する絶縁電線（芯線）の本数については特に制限がなく多芯ケーブルを対象とするものである。その外側に使用する絶縁性のシースは、たとえば、ポリエチレン、ポリ塩化ビニル、ノンハロゲン難燃材などを使用することができる。
【００３０】
（作用）
本発明のコネクタ付ケーブル用クロージャによれば、クロージャ筐体の内部に、ケーブルの外周を固定するためのケーブル固定具と、コネクタと電気的に接続するためのレセプタクルとを有する支持フレームを備えたものであるため、ケーブルに対し外側から生じた引張力は支持フレームに均等に分散されることから、引張力がコネクタとレセプタクルとの接続部に偏在せずに、コネクタとレセプタクルとの接続部における接続不良の発生を抑制することができる。またクロージャ筐体が端末にコネクタを有するケーブルを電気的に接続する箇所を収容するものであるため、端末にコネクタを装着したケーブル同士の接続部又は分岐部を機械的に保護することができる。
【００３１】
また、本発明のコネクタ付ケーブル用クロージャによれば、ケーブルのうちの一方と接続するレセプタクルと、ケーブルのうちの他方と接続するレセプタクルとが、予め配線により電気的に接続されているため、端末にコネクタを装着したケーブルの分岐をコネクタを分解することなく実施することができるため、作業現場における作業性が極めて良好であり、コネクタとレセプタクルとの接続を行う簡易な方法により短時間でケーブルの分岐作業を完了することができる。
【実施例１】
【００３２】
以下、本発明の実施例にかかるコネクタ付ケーブル用クロージャについて説明する。
【００３３】
図１（ｂ）に示すように、長手方向に半割りされた円筒型のクロージャ筐体２の外形寸法は、直径約３００ｍｍ×長さ７００ｍｍであり、各部品の合わせ面、接合面にはゴム製の防水パッキンを装着して防水機能を確保している。例えば、半割りのクロージャ筐体の合わせ面には溝が形成され、溝内には円形断面の糸状のゴムパッキンが装着されている。端面板のケーブル挿通穴とケーブルの隙間にはリング状のゴムパッキンを装着して水密性を確保している。なお本パッキンはコネクタ取り付け時に予め装着する。ケーブルを挿通した端面板の外周部にもゴム製の防水テープを巻いて、筐体を閉じた際に筐体両端部内面との水密性を確保している。
【００３４】
また、本図に示したケーブル４は４２対の信号用ケーブルであり、そのシースの外径は６０ｍｍであった。ケーブル４は電磁遮蔽用のコルゲートアルミシース内に４２対のペア線を内蔵した構造であり、抗張力線は有しないものを使用した。そしてケーブル４の端末部分には、外径９０ｍｍの丸型のコネクタ８が装着されていた。
【００３５】
クロージャ筐体２の内部には、厚さ３．０ｍｍのアルミニウム製の支持フレーム６が装着されており、その中央部には両側にコネクタ機能を有する両側レセプタクル９が、支持フレーム６の両端付近にはケーブル４を固定するためのケーブル固定具７を設置固定しておく。つまり、両側レセプタクル９とケーブル固定具７とが共通の１つの支持フレーム６の上に設置固定されている。
【００３６】
端面板３を分解してケーブル挿通孔５にケーブル４を挟み込み、この状態で再び円環状の端面板３を形成した。
【００３７】
この両側レセプタクル９は、両面にコネクタ８側のプラグのピンと嵌合するレセプタクルを備えたものを用い、両側レセプタクル９とコネクタとを嵌合した。
【００３８】
ケーブル固定具７は組み立て後ではリング形状であるが、左右２分割可能な構造のものを用い、ケーブル固定具７にケーブル４を通した後、リング状のケーブル固定具７の外側から３本ないし４本の押し込みボルトをケーブル４の外周に押し当てた。これにより、ケーブル４の長手方向に関する動きを抑制することができ、それにより、両側レセプタクル９とコネクタ８との嵌合接続に引張り力等の外力が印加されるのを抑制することができた。
【実施例２】
【００３９】
次に、本発明の第２の実施例について説明する。
【００４０】
図２（ａ）、（ｂ）に示すように、本発明の第２の実施例は、コネクタ付ケーブルをクロージャ筐体２の内部で２つに分岐するタイプのコネクタ付ケーブル用クロージャを対象としたものである。半割り円筒型のスリーブの外形寸法は、実施例１と同様である。本図に示したケーブル４としては３２対の信号用ケーブルであり、そのシース外径は６０ｍｍである。このケーブル４は電磁遮蔽用のコルゲートアルミシース内に４２対のペア線を内蔵した構造であり、抗張力線は有しないものを使用した。ケーブル４の端末部には、外径９０ｍｍの丸型のコネクタ８が装着されている。一方、ケーブル４に比して細い分岐ケーブル１０はシース外径３８ｍｍの１０対のペア線を内蔵した信号用ケーブルであり、外径７０ｍｍの丸型コネクタが装着されている。クロージャ筐体２の中には厚さ３．０ｍｍのアルミニウム製の支持フレーム６が装着されており、その中央付近に３個の片面にコネクタ８との接続機能を有する片側レセプタクル１１が、支持フレーム６の両端付近には３個のケーブル固定具７が設置固定されている。つまり、共通の１つの支持フレーム６の上に３個の片側レセプタクル１１と、３個のケーブル固定具７が設置固定されている。
【００４１】
この片側レセプタクル１１は、３２対のケーブル４側にはそれに嵌合する６４穴の片側レセプタクル１１が１個、１０対ケーブル側には２０穴の片側レセプタクル１１が２個設置されている。
【００４２】
これら３個の片側レセプタクル１１の間隔には、片側レセプタクル１１同士を電気的に繋ぐのに必要な配線１２が予め施されている。従って、３個の片側レセプタクル１１にコネクタ８を夫々嵌合接続すれば必要な芯線分岐が完了する。その他の構成は実施例１と同様である。
【００４３】
実施例２の構造によっても、実施例１の場合と同様に、ケーブル４の長手方向に関する動きを抑制することができ、それにより、片側レセプタクル１１とコネクタ８との嵌合接続に引張り力等の外力が印加されるのを抑制することができた。
【符号の説明】
【００４４】
１  コネクタ付ケーブル用クロージャ
２  クロージャ筐体
３  端面板
４  ケーブル
５  ケーブル挿通孔
６  支持フレーム
７  ケーブル固定具
８  コネクタ
９  両側レセプタクル
１０  分岐ケーブル
１１  片側レセプタクル
１２  配線
【図１】
2011125086.tif 000003
【図２】
2011125086.tif 000004